(57)【特許請求の範囲】
【請求項１】
尿が触れることにより尿応答色に変色する変色色素であるブロモチモールブルーまたはブロモクレゾールパープルよりなるｐＨ指示薬を前記尿のｐＨの範囲外のｐＨの溶液で処理することによって、前記尿応答色とは別の色を呈している状態とした尿検出用ｐＨ指示薬を含むポリアミド結合を有する繊維または高分子材料で構成され、
前記ｐＨ指示薬は、蟻酸によって、前記繊維または高分子材料に固定された尿検出用繊維物。
【請求項２】
前記尿のｐＨの範囲外のｐＨの溶液は、ｐＨが５．５未満の酸性溶液またはｐＨが７．５超のアルカリ性溶液であることを特徴とする請求項１記載の尿検出用繊維物。
【請求項３】
請求項１または２記載の尿検出用繊維物を部分的または全体に使用したおむつ。
【請求項４】
請求項１または２記載の尿検出用繊維物により作製したおむつ付属品。
【請求項５】
おむつ類を貸し出し、使用後のおむつ類を回収し、洗濯をして再び貸し出すおむつ類レンタル業務方法において、
尿が触れることにより尿応答色に変色する変色色素であるブロモチモールブルーまたはブロモクレゾールパープルよりなるｐＨ指示薬を前記尿のｐＨの範囲外のｐＨの溶液で処理することによって、前記尿応答色とは別の色を呈している状態とした尿検出用ｐＨ指示薬を含む尿検出用繊維物を部分的または全体に使用したおむつまたはおむつ付属品を貸し出し、貸し出した前記おむつまたはおむつ付属品を使用した後のおむつまたはおむつ付属品を回収し、回収したおむつまたはおむつ付属品を洗濯した後に尿のｐＨの範囲外のｐＨの溶液で処理し、この処理を施したおむつまたはおむつ付属品を再び貸し出し用のおむつまたはおむつ付属品とすることを特徴とするおむつ類レンタル業務方法。
【請求項６】
前記繊維物は、ポリアミド結合を有する繊維または高分子材料で構成されていることを特徴とする請求項５記載のおむつ類レンタル業務方法。
【請求項７】
前記尿のｐＨの範囲外のｐＨの溶液は、ｐＨが５．５未満の酸性溶液またはｐＨが７．５超のアルカリ性溶液であることを特徴とする請求項５または６記載のおむつ類レンタル業務方法。
【請求項８】
おむつ類を貸し出し、使用後のおむつ類を回収し、洗濯をして再び貸し出すおむつ類レンタル業務方法において、
尿が触れることにより尿応答色に変色する変色色素であるブロモチモールブルーまたはブロモクレゾールパープルよりなるｐＨ指示薬を前記尿のｐＨの範囲外のｐＨの溶液で処理することによって、前記尿応答色とは別の色を呈している状態とした尿検出用ｐＨ指示薬を含む尿検出用繊維物を部分的または全体に使用したおむつまたはおむつ付属品を貸し出し、貸し出した前記おむつまたはおむつ付属品を使用した後のおむつまたはおむつ付属品を回収し、回収したおむつまたはおむつ付属品を洗濯して尿応答色に変色したｐＨ指示薬を除去し、新たな前記ｐＨ指示薬を有機溶媒を主とする溶液で処理して得られた尿検出用ｐＨ指示薬をおむつまたはおむつ付属品に定着させ、このおむつまたはおむつ付属品を再び貸し出し用のおむつまたはおむつ付属品とすることを特徴とするおむつ類レンタル業務方法。
【発明の詳細な説明】
【技術分野】
【０００１】
本発明は、排尿の有無の判別が容易な尿検出用繊維物の製造技術およびこれを備えたおむつ並びにおむつの利用方法に関する。なお、本明細書中では、乳幼児用のおむつ、介護用のおむつ、失禁用のパンツ、ショーツなどを総称しておむつという。
【背景技術】
【０００２】
繰り返し使用される布おむつや使い捨ての紙おむつなどのおむつ類は、目視により判断できる糞便や、尿によって繊維にシミが生じた場合を除いて、排泄の有無は、一般的に臭いや素手による触感などで判別される。しかし、使用済みのおむつを素手で触ることは衛生的にも好ましくなく、介護者の負担にもなっている。
【０００３】
このような問題を解決するために、使用済みであるか否かを目視により判断できる手段を備えた布おむつが特許文献１に記載されている。この布おむつは、布材に電極となる導電性繊維が二列以上間隔をおいて織り込まれている失禁センサーを備えており、この失禁センサーが失禁を検知するとブザーやランプ、振動などの報知手段によって使用者である被介護者又は介護者は失禁を知ることができる構成となっている。また、布おむつに織り込まれている導電性繊維は洗濯などによる抵抗値の変化などがないため、布おむつは繰り返し使用することができる。
【０００４】
しかし、特許文献１記載の布おむつには尿を検知したことを知らせる報知手段に電極を接続するためのコードなどが必要となり、この布おむつを使用することは、被介護者や介護者の双方にとって煩わしいものとなる。
【０００５】
これとは別に特許文献２には、電極などの手段を使わずに尿の異常を判断することができる尿検査おむつが記載されている。この尿検査おむつは、被介護者の股間部に対応する部分に設けられた吸水性シートに発色性反応試薬を含浸させており、この部分に尿が染みこむと、尿のｐＨや成分又はその濃度に応じて色が変わる構成となっている。
【０００６】
【特許文献１】特開２０００−１３９９８３号公報
【特許文献２】特開２００１−２８９８４５号公報
【発明の開示】
【発明が解決しようとする課題】
【０００７】
特許文献２に記載の尿検出用おむつは、反応試薬の発色により、電極などの手段を使わずに目視により尿の成分の異常を判断することができる。しかし、排尿の有無を判別することが目的ではなく尿の成分の異常を目視により判断することを目的としているため、所定のｐＨの範囲を越えた尿や、尿の成分に異常があるものでなければ反応試薬が明確に発色しないという問題がある。従って、正常な尿であれば反応試薬の色彩の変化に乏しいため、目視による色彩の変化の判断が難しくなり、排尿の有無の判別をすることができない。
【０００８】
そこで、本発明は上記問題点に鑑みて、目視による色彩の変化の判断が確実にでき、排尿の有無の判別をすることができる尿検出用繊維物および尿検出用繊維物を部分的または全体に使用したおむつとおむつ付属品並びにこれを用いたおむつ類レンタル業務方法を提供することを目的とする。
【課題を解決するための手段】
【０００９】
本発明の尿検出用繊維物は、尿が触れることにより尿応答色に変色する色素を、尿が有する溶液特性条件以外の条件を持つ溶液で処理することによって尿応答色とは別の色を呈している尿検出用色素、を含むものである。
【００１０】
尿が有する溶液特性条件で尿応答色に変色する色素を、尿が有する溶液特性条件以外の条件で処理することより、尿応答色とは別の色を呈している尿検出用色素が得られる。従って、この尿検出用色素を含む尿検出用繊維物に尿が触れると、尿検出用繊維物は尿応答色へと明確に色彩が変化する。よって、この尿検出用繊維物をおむつに適用すれば、目視による色彩の変化の判断から排尿の有無の判別を確実に行うことができる。なお、繊維物とは、繊維により構成されたものを示し、糸、織物、編み物、不織布、わた、などがあげられる。
【００１１】
尿が有する溶液条件で尿応答色に変色する色素としては、ｐＨ指示薬を用いることができる。この場合、尿検出用繊維物は、繊維物を、ｐＨ指示薬を含む溶液により染色し、この繊維物を、尿が有する溶液特性条件以外の条件を持つ溶液、つまり、検出対象とする尿のｐＨの範囲外のｐＨの溶液にて処理することによって製造される。
【００１２】
本発明の尿検出用繊維物は、ｐＨ指示薬により染色した繊維物を、検出対象とする尿のｐＨの範囲外のｐＨの溶液に浸漬したり、この溶液をスプレーで吹きつけたり、塗布したりする処理を施したことによって、使用前の尿検出用繊維物は、尿のｐＨの範囲外に対応する色を呈しているので、尿検出用繊維物に尿が触れると、尿検出用繊維物は明確に色彩が変化する。従って、この尿検出用繊維物をおむつに適用すれば、目視による色彩の変化の判断から排尿の有無の判別を確実に行うことができる。
【００１３】
人の尿は正常な場合においては中性〜弱酸性を示すが、患った病気によってはわずかにアルカリ性や酸性を示すことがある。そこで、本発明の尿検出用繊維物は、望ましくはｐＨ５．５〜７．５の尿で色彩が明確に変化するもの、より望ましくはｐＨ４〜８の尿で色彩が明確に変化するものがよい。ｐＨ５．５〜７．５の尿で色彩が明確に変化するものであれば、尿検出用繊維物の色彩の変化によって、目視により大部分の健康な人の尿を検出することができる。また、ｐＨ４〜８の尿で変色するものであれば、尿検出用繊維物の色彩の変化によって、目視により健康な人の尿だけでなく、病気を患った人の尿についても検出することができる。なお、異なったｐＨ指示薬により染色した尿検出用繊維物が変色するｐＨの領域が異なる場合、これら複数種類の尿検出用繊維物を組み合わせて用いても良い。これにより、どのような健康状態の尿であっても、確実に検出することができ、尿のｐＨ状態を詳細に知ることができる。
【００１４】
本発明の尿検出用繊維物は、繊維物がポリアミド結合を有する繊維または高分子材料で構成されていることが望ましい。尿検出用繊維物としてポリアミド結合を有する繊維または高分子材料を用いることにより、ｐＨ指示薬を繊維または高分子材料に化学的に強固に固定することができる。よって、染色された繊維物が、摩擦や洗濯などにより色落ちしたり、尿が触れたときの色の変化が不明確になったりしないので、使用後に洗濯を行うことによって、本発明の尿検出用繊維物を何度でも繰り返し使用することができる。ポリアミド結合を有する繊維や高分子材料としては、羊毛、絹、ナイロン、アラミド、プロミックス、羽毛、ポリウレタンなどが挙げられる。
【００１５】
本発明の尿検出用繊維物は、ｐＨ指示薬により染色した繊維物を、ｐＨが５．５未満の酸性溶液またはｐＨが７．５超のアルカリ性溶液で処理するとよい。上述したように、大部分の健康な人の尿は、ｐＨ５．５〜７．５の範囲である。そこで、染色した繊維物をｐＨ５．５未満の酸性溶液、もしくはｐＨ７．５超のアルカリ性溶液で処理すれば、使用前の尿検出用繊維物はｐＨ５．５〜７．５の範囲に対応した色以外の色を呈しているので、尿検出用繊維物に尿が触れた際、確実にその色彩が変化する。従って、介護者はその色彩変化により、排尿があったことを目視で明確に確認することができる。
なお、ｐＨ５．５〜７．５の範囲の溶液にて処理を行った場合は、このｐＨの領域は尿のｐＨの範囲と重なり、尿検出用繊維物に尿が触れても色彩の変化が明確にはならないので、目視による色彩の変化の判断から排尿の有無の判別をすることができない。
【００１６】
なお、病気を患った人の尿についても目視による色彩の変化の判断から排尿の有無の判別が可能なように、繊維物をｐＨ４未満の酸性溶液、もしくはｐＨ８超のアルカリ性溶液で処理すれば、使用前の尿検出用繊維物はｐＨ４〜８の範囲に対応した色以外の色を呈しているので、この場合も、介護者はその色彩変化により、排尿があったことを目視で明確に確認することができる。
【００１７】
なお、ｐＨ５．５未満またはｐＨ４未満の酸性溶液およびｐＨ７．５超またはｐＨ８超のアルカリ性溶液は、界面活性剤を加えることにより調整することができる。ｐＨ５．５未満またはｐＨ４未満の酸性溶液に調整する場合、前記界面活性剤以外にも、蟻酸、クエン酸、マレイン酸、乳酸等の脂肪族カルボン酸、また、ｐＨ７．５超またはｐＨ８．５超のアルカリ性溶液に調整する場合、前記の界面活性剤以外にも、炭酸水素ナトリウム、炭酸ナトリウムなどのアルカリ金属塩、あるいはアルカリ土類金属塩からなる塩類や市販の合成洗剤、石けんなどにより調整することができる。
【００１８】
また、本発明の尿検出用繊維物は、尿が触れることにより尿応答色に変色する色素を、尿が有する溶液特性条件以外の条件を持つ溶液で処理することによって尿応答色とは別の色を呈している尿検出用色素を製造し、この尿検出用色素を繊維物に定着させることによって得ることもできる。
【００１９】
例えば、尿が触れることにより尿応答色に変色する色素がｐＨ指示薬である場合、このｐＨ指示薬を含む溶液に、尿が有する溶液特性条件以外の条件を持つ溶液として、尿が有するｐＨ範囲以外のｐＨを有する酸またはアルカリ溶液を加えたり、有機溶媒を主とする溶液で処理したりすることによって、尿応答色とは別の色を呈している尿検出用色素の溶液が得られる。
【００２０】
上記のようにして得られた尿検出用色素の溶液を、塗布したり、スタンプやペンなどで繊維物にマーキングしたりして定着させることにより、尿検出用繊維物を得ることができる。
【００２１】
このようにして得られた尿検出用繊維物に尿が触れると、尿検出用色素は、ｐＨの変化に反応することにより、尿応答色へと変色するので、尿検出用繊維物は明確に色彩が変化する。従って、この尿検出用繊維物をおむつに適用すれば、目視による色彩の変化の判断から排尿の有無の判別を確実に行うことができる。
【００２２】
本発明の尿検出用繊維物を部分的または全体的に使用しておむつを作製したり、おむつの付属品を作製したりすることができる。
【００２３】
例えば、本発明の尿検出用繊維物である織物や編み物、または不織布などの布材そのものでおむつを作製したり、本発明の尿検出用繊維物である糸で市販の布材を縫製または刺繍したりしておむつを作製することができる。なお、縫製や刺繍をする場合、排尿があったときに糸が尿に触れて変色するように、使用者の股間部があたるおむつやパンツの股部分を全面に渡って縫い合わせたり、刺繍したりするとよい。
【００２４】
また、本発明の尿検出用繊維物である布材を用いて尿吸収シートやワッペン、シール、タグなどの付属品を作製したり、尿吸収シートやワッペン、シール、タグなどの市販の付属品に本発明の尿検出用繊維物である糸で縫製または刺繍したりしておむつ付属品を作製することができる。
【００２５】
本発明の尿検出用繊維物である糸を用いれば、市販の布材や既成のおむつや付属品に縫いつけるだけでよいので汎用性が高く、新たに本発明の尿検出用繊維物である布材でおむつや付属品を作製するよりも安価に提供することができる。
【００２６】
本発明のおむつ類レンタル業務方法は、おむつ類を貸し出し、使用後のおむつ類を回収し、洗濯をして再び貸し出すおむつ類レンタル業務方法において、本発明のｐＨ指示薬を含む尿検出用繊維物を部分的または全体に使用したおむつまたはおむつ付属品を貸し出し、貸し出したおむつまたはおむつ付属品を使用した後のおむつまたはおむつ付属品を回収し、回収したおむつまたはおむつ付属品を洗濯した後に尿のｐＨの範囲外のｐＨの溶液で処理し、この処理を施したおむつまたはおむつ付属品を再び貸し出し用のおむつまたはおむつ付属品とすることを特徴とする。
【００２７】
本発明のおむつ類レンタル業務方法によれば、本発明の尿検出用繊維物を部分的または全体に使用したおむつやおむつ付属品などのおむつ類を貸し出し、使用後のおむつ類を回収し、回収したおむつ類を洗濯した後に尿のｐＨの範囲外のｐＨの溶液で処理することによって、このおむつ類に再び尿が触れるとおむつ類は明確に色彩が変化するので、排尿の有無の判別を確実に行うことができるおむつ類をレンタルで提供することができる。使用後のおむつ類はおむつ類レンタル業務を行う者が回収してまとめて洗濯およびその後の処理を行うので、介護者の洗濯に係る負担やその後の処理の負担を減らすことができる。
【００２８】
本発明のおむつ類レンタル業務方法は、おむつ類を貸し出し、使用後のおむつ類を回収し、洗濯をして再び貸し出すおむつ類レンタル業務方法において、本発明の尿検出用色素を含む尿検出用繊維物を部分的または全体に使用したおむつまたはおむつ付属品を貸し出し、貸し出したおむつまたはおむつ付属品を使用した後のおむつまたはおむつ付属品を回収し、回収したおむつまたはおむつ付属品を洗濯して尿応答色に変色した色素を除去し、新たな色素を有機溶媒を主とする溶液で処理して得られた尿検出用色素をおむつまたはおむつ付属品に定着させ、このおむつまたはおむつ付属品を再び貸し出し用のおむつまたはおむつ付属品とすることを特徴とする。
【００２９】
本発明のおむつ類レンタル業務方法によれば、回収したおむつまたはおむつ付属品を洗濯することによって、尿応答色に変色した色素を除去することができる。洗濯後のおむつまたはおむつ付属品に、再び、新たな色素を有機溶媒を主とする溶液で処理して得られた尿検出用色素を定着させることによって、このおむつまたはおむつ付属品は洗濯後のきれいな状態であることを、作業者や使用者などに目視により認識させることができる。従って、レンタル業務で使用されるおむつまたはおむつ付属品の品質管理を確実に行うことができる。
【発明の効果】
【００３０】
本発明に係る尿検出用繊維物は、尿が触れるだけで尿応答色へと明確に色彩が変化するので、この尿検出用繊維物をおむつに適用すれば、目視による色彩の変化の判断から排尿の有無の判別を確実に行うことができる。
【００３１】
尿が有する溶液条件で変色する色素としてｐＨ指示薬を用いた尿検出用繊維物は、使用前は尿のｐＨの範囲外のｐＨに対応した色を呈しており、尿検出用繊維物に尿が触れると、使用前とは明確に色彩が変化するので、この尿検出用繊維物をおむつに適用すれば、目視による色彩の変化の判断を確実に行うことができ、排尿の有無を判断することができる。
【００３２】
本発明の尿検出用繊維物は、繊維物としてポリアミド結合を有する繊維を用いることにより、ｐＨ指示薬が繊維に化学的に強固に固定されるので、この尿検出用繊維物を使用後に洗濯し、さらに検出対象とする尿のｐＨの範囲外のｐＨの溶液にて処理することによって、本発明の尿検出用繊維物を何度でも繰り返し使用することができる。
【００３３】
本発明の尿検出用繊維物は、ｐＨ指示薬により染色した後、ｐＨが５．５未満の酸性溶液またはｐＨが７．５超のアルカリ性溶液で処理されているので、使用前の尿検出用繊維物はｐＨ５．５〜７．５の範囲に対応した色以外の色を呈しており、尿が触れた際、確実に尿検出用繊維物の色彩が変化する。従って、この尿検出用繊維物をおむつに適用すれば、介護者はその色彩変化により、排尿が有ったことを目視で明確に確認することができる。
【００３４】
本発明のおむつ類レンタル業務方法によれば、排尿の有無の判別を確実に行うことができるおむつ類をレンタルで提供することができる。また、使用後のおむつ類はおむつ類レンタル業務を行う者が回収してまとめて洗濯およびその後の処理を行うので、介護者の洗濯に係る負担やその後の処理の負担を減らすことができる。
【発明を実施するための最良の形態】
【００３５】
（実施の形態１）
本発明の第１の実施の形態に係る尿検出用繊維物の作製について、本発明の尿検出用繊維物の一つである羊毛糸を例に説明する。本実施形態の繊維物は羊毛のほかに、絹、綿、レーヨン、アセテート、ナイロン、アクリル、プロミックス、ポリエステル、羽毛、ポリウレタンなどの繊維により構成され、形態としては糸のほかに、織物や編み物、または不織布などの布材やわたなどが挙げられる。なお、ｐＨ指示薬を化学的に強固に結合するために、羊毛、絹、ナイロン、プロミックス、羽毛、ポリウレタンなどのポリアミド結合を有する繊維や高分子材料により構成された繊維物、または、これらを混紡した繊維物を用いる方が望ましい。
【００３６】
本実施形態に用いられるｐＨ指示薬は、ブロモクレゾールパープル、ブロモチモールブルーが例示される。なお、これらのｐＨ指示薬は、単独で用いてもよいし、複数用いてもよい。
【００３７】
まず、上記のｐＨ指示薬を、０．００００１〜５質量％、好ましくは０．０００１〜０．５質量％程度水に溶かしてｐＨ指示薬の水溶液を作製する。なお、本実施形態では溶媒として水を使用しているが、これ以外にもエタノール、メタノール、酢酸、蟻酸などが溶媒として使用でき、これらの溶媒にｐＨ指示薬を溶かした後、適度な濃度になるように水で希釈して用いてもよい。
【００３８】
常圧または加圧の下で、４０〜１２０℃、好ましくは４５〜１００℃に加熱した十分な量のｐＨ指示薬の水溶液に、繊維物である羊毛糸を０．１〜３時間程度浸漬する。また、このような浸漬方法以外にも、ｐＨ指示薬の水溶液を羊毛糸にスプレーで吹きつけたり、塗布したりすることにより、羊毛糸を構成する繊維にｐＨ指示薬を化学的に固定させ、羊毛糸を染色することができる。
【００３９】
なお、ｐＨ指示薬をより強固に繊維に固定させ色の堅牢度を高めるために、蟻酸よりなる染色助剤を使用するとよい。このような染色助剤はｐＨ指示薬の水溶液中に０．０００１〜１質量％程度溶解させて用いるとよい。また、鉄、銅、チタン、アルミニウム、亜鉛等の金属やタンニン酸等の有機物を媒染剤として繊維物である羊毛糸を媒染処理してもよい。この場合、これらの媒染剤を、ｐＨ指示薬で染色する際に同時に使用してもよいし、染色する前または染色した後に使用してもよい。このような媒染剤は水溶液中に０．０００１〜１質量％程度溶解させて用いるとよい。
【００４０】
上記のような染色処理を行った後、羊毛糸を水洗いすることによって繊維に固定されていないｐＨ指示薬や染色助剤等を洗い流す。この水洗いを数回行うことによって染色工程が終了する。この羊毛糸を乾燥させて、ｐＨ指示薬により染色された羊毛糸ができる。
【００４１】
次に、ｐＨ指示薬により染色されたこの羊毛糸に、検出対象とする尿のｐＨの範囲外のｐＨの溶液にて処理する後処理を行う。具体的な後処理工程としては、界面活性剤を投入した水溶液を作製し、この水溶液にｐＨ指示薬により染色された羊毛糸を浸漬した後、この羊毛糸を乾燥させる。ここで用いる界面活性剤とは、水溶液を、尿のｐＨの範囲外のｐＨを持つ水溶液、つまり、ｐＨ５．５未満の酸性溶液、あるいは、ｐＨ７．５超のアルカリ性溶液にすることができるものである。
【００４２】
ｐＨ５．５未満の酸性溶液は、例えば、水にノニオン系界面活性剤であるエルモアＳＡＰ（日華化学（株）製）を０．１質量％程度となるように溶かすことで得られる。また、ｐＨ７．５超のアルカリ性溶液は、例えば、水にカチオン系界面活性剤であるエルモア（日華化学（株）製）を０．１質量％程度、または炭酸水素ナトリウムを０．０１質量％程度添加することによって得られる。また、エルモアと炭酸水素ナトリウムを併用することによっても得られる。なお、後処理工程に用いる水溶液としては、環境問題や廃水処理の問題から、アルカリ性溶液を用いる方が望ましい。
【００４３】
この後処理工程により、後処理工程後の羊毛糸は、一般的な尿のｐＨの範囲外であるｐＨ５．５未満、またはｐＨ７．５超のｐＨに対応した色を呈しているので、この羊毛糸に尿が触れると、使用前とは明確に色彩が変化し、羊毛糸は尿応答色を示す。
【００４４】
なお、上述した後処理工程は、羊毛糸の染色工程の最終段階に引き続いて行うこともできる。つまり、染色工程の最終段階である水洗いの後、尿のｐＨの範囲外であるｐＨ５．５未満またはｐＨ７．５超のｐＨとすることができる界面活性剤を水に投入して、水溶液をｐＨ５．５未満またはｐＨ７．５超に調整し、この水溶液に羊毛糸を浸漬することによって、後処理を続けて行うことができる。また、これに限らず、この羊毛糸を用いておむつやおむつ付属品を作製した後に上記の後処理工程を行ってもよい。
【００４５】
本実施形態では、正常な人の尿の範囲であるｐＨ５．５〜７．５の範囲をもって検出対象とする尿のｐＨの範囲としたが、病気を患った人の尿も検出対象とする場合は、ｐＨ４〜８の範囲を検出対象とするとよい。
【００４６】
次に、図を用いて本実施形態の羊毛糸をおむつ付属品の一つである尿検出シートとしてのおむつパッドに用いた例を示す。図１は、本実施形態における羊毛糸を用いたおむつパッドを示す図である。
【００４７】
本実施形態の羊毛糸を材料とした縫製糸１は、おむつ（図示せず）の中央部分、つまり、被介護者の股間部に対応する位置に設けられるおむつパッド２の中央に複数列縫いつけられている。これにより、おむつパッド２のどの位置に尿が触れても縫製糸１の色彩が変化するので、介護者は容易に目視によりおむつパッド２に排尿があったかどうかを判断することができる。なお、縫製糸１は、できるだけ全面に渡っておむつパッド２に縫いつけられた方がよい。これにより、尿がおむつパッド２のどの位置に触れても縫製糸１の色彩が変化するので、介護者は目視により排尿の有無を判断することができる。
【００４８】
本実施形態では羊毛糸を材料とした縫製糸１をおむつパッド２に縫いつけた例を示したが、これ以外にも羊毛糸を材料とした刺繍糸でおむつパッド２に刺繍を施したり、おむつパッド２そのものを、羊毛糸を材料とした織物、編み物および不織布などの布材で作製したりしてもよい。以上のような場合は、おむつパッド２のみを洗濯すればよいので、洗濯にかかる負担を減らすことができる。また、これとは別に、羊毛糸で作製したワッペンやタグなどをおむつに縫いつけたりしてもよい。ワッペンやタグなどの場合は、おむつの尿が触れる部分に取り付ければ、介護者がおむつに排尿があったかどうかを目視により判断することができる。
【００４９】
なお、乳幼児用のおむつ、介護用のおむつという形態だけでなく、失禁用のパンツ、ショーツおよびその付属品とすることもできる。介護用のおむつは、寝たきりとなった被介護者だけでなく、事故や病気、老化などにより排泄に対して感覚が鈍くなった人についても必要となる場合がある。これらの人々は介護を積極的に必要としないため、おむつという形態に抵抗感を与えてしまうことがある。そこで、パンツやショーツという形態にすれば、周りの視線を気にすることなく使用することができ、また、使用者が自分で簡単に新しいものに取り替えることも可能となる。
【００５０】
また、本実施形態で作製したおむつをレンタルおむつとすることができる。
例えば、本実施形態の羊毛糸を材料とした布材を用いておむつを作製する。これをレンタルおむつとして被介護者にレンタルし、使用してもらう。使用後のおむつは業者が回収し、一箇所に集めて工場にて洗濯処理を行う。洗濯処理は一般的な洗濯と同じであり、洗剤を用いて洗浄した後、すすぎを行う。尿のｐＨの範囲は通常ｐＨ５．５〜７．５であり、すすぎを行う水もほぼ中性の約ｐＨ７であるので、すすぎ後のおむつは尿のｐＨの範囲内の色を呈していることとなる。そこで、すすぎが終了した後、この水溶液に界面活性剤を投入してｐＨを調整し、この水溶液におむつを浸漬した後乾燥させる。これにより、おむつは尿のｐＨの範囲外の色に対応した色となっている。これを再びレンタルおむつとしてレンタルする。
【００５１】
本実施形態のおむつは、ポリアミド結合を有する繊維から構成される羊毛糸を材料とした布材により作製されているので、ｐＨ指示薬が繊維に化学的に強固に固着しており、擦れたり水洗いしたりしても色落ちしにくく、摩擦や洗濯に対する色の堅牢度が高い。加えて、本実施形態のおむつは、洗濯処理を行った後に尿のｐＨの範囲外のｐＨを持つ溶液にて浸漬されており、尿のｐＨの範囲外に対応する色を呈しているので、再びこのおむつに尿が触れると色彩の変化が明確に現れ、介護者はこの色彩の変化によりおむつに排尿が有ったことを目視で確認することができる。つまり、本実施形態のおむつは何度でも繰り返し使用することができ、レンタルおむつとして好適となる。さらに、業者が使用後のおむつを回収し、一括して洗濯処理、および洗濯後に尿のｐＨの範囲外のｐＨを持つ溶液にて浸漬する処理を行うので、介護者の洗濯に係る負担や洗濯後の処理の負担を減らすことができる。なお、上述したおむつパッドのみをレンタルとしてもよい。
【実施例】
【００５２】
（実施例１）
実施例１として、尿検出用色素を含むサンプル溶液（インク）を６種類作成した。なお、以下のサンプル３及びサンプル５が本願発明の実施例に相当し、他は参考例である。
（サンプル１）変色色素としてクリスタルバイオレットラクトン０．９％、顕色剤として無水マレイン酸１．８％、繊維物に対する滲み防止剤としてエチルセルロース２．８％、繊維物上での消色を促進する助剤としてフタル酸ジメチル０．９％を、イソプロピルアルコールに混合し、７０℃で約１時間撹拌して濃紺色のインクを得た。
（サンプル２）変色色素としてクロロフェノールレッド０．９％、ギ酸３．７％、繊維物に対する滲み防止剤としてエチルセルロース２．８％を、イソプロピルアルコールに混合し、７０℃で約１時間撹拌して赤色のインクを得た。
（サンプル３）変色色素としてブロモチモールブルー０．９％、ギ酸３．７％、繊維物に対する滲み防止剤としてエチルセルロース２．８％を、イソプロピルアルコールに混合し、７０℃で約１時間撹拌して黄色のインクを得た。
（サンプル４）変色色素としてブロモチモールブルー１．０％、繊維物に対する滲み防止剤としてエチルセルロース２．９％を、イソプロピルアルコールに混合し、７０℃で約１時間撹拌して黄色のインクを得た。
（サンプル５）変色色素としてブロモクレゾールパープル０．９％、ギ酸３．７％、繊維物に対する滲み防止剤としてエチルセルロース２．８％を、イソプロピルアルコールに混合し、７０℃で約１時間撹拌して黄色のインクを得た。
（サンプル６）変色色素としてブロモクレゾールパープル１．０％、繊維物に対する滲み防止剤としてエチルセルロース２．９％を、イソプロピルアルコールに混合し、７０℃で約１時間撹拌して黄色のインクを得た。
【００５３】
それぞれのサンプル溶液をポリエステル生地に塗布し、乾燥させて尿検出用繊維物を作製した。この尿検出用繊維物０．２ｇを、人工尿（質量％で尿素１．９％、ＮａＣｌ０．８％、ＭｇＣｌ2０．１％、ＣａＣｌ2０．１％）２０ｍｌに３０分間浸漬し、色差値を測定した。その結果を表１に示す。
【００５４】
【表１】
0004301373.tif 000002
【産業上の利用可能性】
【００５５】
本発明の尿検出用繊維物は、目視による排尿の判断が確実にできるので、おむつおよびおむつ付属品などに有用である。
【図面の簡単な説明】
【００５６】
【図１】本実施形態における尿検出用繊維物を用いたおむつパッドを示す図である。
【符号の説明】
【００５７】
１  縫製糸
２  おむつパッド
【図１】
0004301373.tif 000003